(57)【要約】【課題】低コストにするとともに、設置スペースを小さくする。【解決手段】交流電源と接続する一対の入力端子部３と、ＬＥＤ（照明負荷）１，１と接続する複数対の出力端子部４，４と、一対の入力端子部３から入力される交流電力を直流電力に変換しその直流電力を複数対の出力端子部４，４を介してＬＥＤ１，１に出力する電源回路部５とを１つのハウジング６に備える。【選択図】図１
2005285369.tif 000002
【特許請求の範囲】
【請求項１】
交流電源と接続する一対の入力端子部と、
照明負荷と接続する複数対の出力端子部と、
前記一対の入力端子部から入力される交流電力を直流電力に変換しその直流電力を前記複数対の出力端子部を介して前記照明負荷に出力する電源回路部とを１つのハウジングに備えることを特徴とする電源装置。
【請求項２】
前記電源回路部は、前記複数対の出力端子部の少なくとも一対の出力端子部を介して予め決められた一定電流を出力させる定電流制御手段を有することを特徴とする請求項１記載の電源装置。
【請求項３】
前記少なくとも一対の出力端子部を介して出力される前記一定電流は、他の一対の出力端子部を介して出力される一定電流と大きさが異なることを特徴とする請求項２記載の電源装置。
【請求項４】
前記電源回路部は、前記複数対の出力端子部の少なくとも一対の出力端子部を介して予め決められた一定電圧を出力させる定電圧制御手段を有することを特徴とする請求項１〜３のいずれか記載の電源装置。
【請求項５】
前記少なくとも一対の出力端子部を介して出力される前記一定電圧は、他の一対の出力端子部から出力される一定電圧と大きさが異なることを特徴とする請求項４記載の電源装置。
【請求項６】
前記電源回路部は、一次巻線及び二次巻線を含む絶縁トランスを備え、この絶縁トランスにより前記一次巻線側の回路と前記二次巻線側の回路とに分離することを特徴とする請求項１〜５のいずれか記載の電源装置。
【請求項７】
前記絶縁トランスの少なくとも１つは、複数の二次巻線を含むことを特徴とする請求項６記載の電源装置。
【請求項８】
前記電源回路部は、前記一対の入力端子部と、前記複数対の出力端子部の少なくとも一対の出力端子部とを非絶縁にすることを特徴とする請求項１〜７のいずれか記載の電源装置。
【請求項９】
前記複数対の出力端子部のうち少なくとも二対の出力端子部を並列に接続し、前記少なくとも二対の出力端子部を介して１つの前記照明負荷に前記直流電力を供給することを特徴とする請求項１〜８のいずれか記載の電源装置。
【請求項１０】
前記複数対の出力端子部のうち少なくとも二対の出力端子部を直列に接続し、前記少なくとも二対の出力端子部を介して１つの前記照明負荷に前記直流電力を供給することを特徴とする請求項１〜９のいずれか記載の電源装置。
【請求項１１】
請求項１〜１０のいずれか記載の電源装置と、
前記電源装置から直流電力が供給されその直流電力に伴い点灯する発光ダイオードとを備えることを特徴とする照明器具。
【発明の詳細な説明】
【技術分野】
【０００１】
本発明は、例えば、照明負荷に直流電力を供給する電源装置及びこれを含む照明器具に関するものである。
【背景技術】
【０００２】
従来、この種の電源装置は、図３５，３６に示すように、１つのハウジング６の中に１つの電源回路部５、一対の入力端子部３及び一対の出力端子部４を備えている。例えば、図３７に示すように、複数の発光ダイオード（以下「ＬＥＤ」という）１，１を点灯させる場合は、複数の電源装置２，２を用いるか、又は図３８，３９に示すように、高い直流電力を出力する電源回路部５（図３５参照）を備えた電源装置２を用いる。特に、図３９に示すような、一対の出力端子部４に対して、ＬＥＤ（Ｌｉｇｈｔ  Ｅｍｉｔｔｉｎｇ  Ｄｉｏｄｅ）１と抵抗８４の組み合わせを並列接続して点灯させる一括点灯方式が一般的によく知られている。
【０００３】
また、定格、制御方式、絶縁性等、複数の仕様の異なるＬＥＤを点灯させる場合には、それぞれの種類に対応した電源装置が必要であるので、複数の電源装置を使用して点灯を行う。
【０００４】
なお、特許文献１には、複数列のＬＥＤアレイのそれぞれについて、交流電源による半波通電又は全波整流回路による全波通電のいずれかを選択し、簡単な回路構成で段調光を可能とする照明装置が開示されている。
【特許文献１】特開２０００−３０８７７号公報（第３頁、及び、第１図）
【発明の開示】
【発明が解決しようとする課題】
【０００５】
しかしながら、上記従来の電源装置及びこれを含む照明器具などは、以下のような問題があった。複数の照明負荷（ＬＥＤ）、又は仕様の異なる照明負荷を同時に点灯させる場合に、図３７に示すような接続方法では、複数の電源装置２を必要とするため、電源装置２とそれに必要な導線３１，３１がそれぞれ複数必要となり、電源装置及び照明器具として、部材コストが高くなるとともに、設置スペースが広くなってしまう。他の接続方法として、図３９に示すような接続方法では、並列接続するＬＥＤ１，１の数が増えるほど、ＬＥＤ１，１に供給される負荷電流の総和、つまり電源装置２の出力電流が大きくなる。また、図３８に示すように、ＬＥＤ１，１を直列に接続する方法では、ＬＥＤ１，１の接続個数が増えるほど、ＬＥＤ１，１に印加される電圧、つまり電源装置２の出力電圧が高電圧となる。さらに、ＬＥＤ１，１の直列接続は、ＬＥＤ１を追加する場合に、ＬＥＤ１の片側の端子部と電源装置２の出力端子部４０との結線を必ず外さなければならないので、一般の照明器具がほとんど並列配線であることから誤結線をするといった問題も生じる。
【０００６】
本発明は上記の点に鑑みて為されたものであり、その目的とするところは、複数の照明負荷を接続する場合に、低コストにすることができるとともに、設置スペースを小さくすることができる電源装置及びこれを含む照明器具を提供することにある。
【課題を解決するための手段】
【０００７】
請求項１に記載の発明は、交流電源と接続する一対の入力端子部と、照明負荷と接続する複数対の出力端子部と、前記一対の入力端子部から入力される交流電力を直流電力に変換しその直流電力を前記複数対の出力端子部を介して前記照明負荷に出力する電源回路部とを１つのハウジングに備えることを特徴とする。
【０００８】
この構成では、一対の入力端子部に対して複数対の出力端子部を備えているので、複数の照明負荷を接続する場合に、低コストにすることができるとともに、設置スペースを小さくすることができる。
【０００９】
請求項２に記載の発明は、請求項１に記載の発明において、前記電源回路部は、前記複数対の出力端子部の少なくとも一対の出力端子部を介して予め決められた一定電流を出力させる定電流制御手段を有することを特徴とする。この構成では、複数の照明負荷をそれぞれの出力端子部に分散し、各出力端子部に直列接続する照明負荷の数によらず、低い電圧の状態で一定電流を照明負荷に供給させることができるので、照明負荷を安定に点灯させることができる。
【００１０】
請求項３に記載の発明は、請求項２に記載の発明において、前記少なくとも一対の出力端子部を介して出力される前記一定電流は、他の一対の出力端子部を介して出力される一定電流と大きさが異なることを特徴とする。この構成では、異なる定格電流の照明負荷に対応することができる。
【００１１】
請求項４に記載の発明は、請求項１〜３のいずれかに記載の発明において、前記電源回路部は、前記複数対の出力端子部の少なくとも一対の出力端子部を介して予め決められた一定電圧を出力させる定電圧制御手段を有することを特徴とする。この構成では、複数の照明負荷をそれぞれの出力端子部に分散し、各出力端子部に並列接続する照明負荷の数によらず、小さい電流の状態で一定電圧を照明負荷に供給させることができるので、照明負荷を安定に点灯させることができる。また、定電流制御手段と定電圧制御手段との両方を有している場合は、定電流制御を必要とする照明負荷、及び定電圧制御を必要とする照明負荷のいずれにも対応することができる。
【００１２】
請求項５に記載の発明は、請求項４に記載の発明において、前記少なくとも一対の出力端子部を介して出力される前記一定電圧は、他の一対の出力端子部から出力される一定電圧と大きさが異なることを特徴とする。この構成では、異なる定格電圧の照明負荷に対応することができる。
【００１３】
請求項６に記載の発明は、請求項１〜５のいずれかに記載の発明において、前記電源回路部は、一次巻線及び二次巻線を含む絶縁トランスを備え、この絶縁トランスにより前記一次巻線側の回路と前記二次巻線側の回路とに分離することを特徴とする。この構成では、電源回路部内で短絡等が発生した場合であっても、交流電源からの大電流が照明負荷に流れることを防止することができるので、より安全性の高い絶縁構成を実現することができる。
【００１４】
請求項７に記載の発明は、請求項６に記載の発明において、前記絶縁トランスの少なくとも１つは、複数の二次巻線を含むことを特徴とする。この構成では、絶縁トランスの一次巻線側の回路を共通にすることができるので、省スペース及び低コストで構成することができる。
【００１５】
請求項８に記載の発明は、請求項１〜７のいずれかに記載の発明において、前記電源回路部は、前記一対の入力端子部と、前記複数対の出力端子部の少なくとも一対の出力端子部とを非絶縁にすることを特徴とする。この構成では、効率を高めることができるので、定格出力を大きくしたり、消費電力を小さくしたりすることができる。また、絶縁型の電源回路と非絶縁型の電源回路との両方を含む場合は、安全性、消費電力等の条件に応じて絶縁型と非絶縁型とを使い分けることができる。
【００１６】
請求項９に記載の発明は、請求項１〜８のいずれかに記載の発明において、前記複数対の出力端子部のうち少なくとも二対の出力端子部を並列に接続し、前記少なくとも二対の出力端子部を介して１つの前記照明負荷に前記直流電力を供給することを特徴とする。この構成では、照明負荷が、それぞれの出力端子部を介して出力される電流を超える電流を必要とする場合であっても、その照明負荷を点灯させることができる。
【００１７】
請求項１０に記載の発明は、請求項１〜９のいずれかに記載の発明において、前記複数対の出力端子部のうち少なくとも二対の出力端子部を直列に接続し、前記少なくとも二対の出力端子部を介して１つの前記照明負荷に前記直流電力を供給することを特徴とする。この構成では、照明負荷が、それぞれの出力端子部を介して出力される電圧を超える電圧を必要とする場合であっても、その照明負荷を点灯させることができる。
【００１８】
請求項１１に記載の発明は、請求項１〜１０のいずれか記載の電源装置と、請求項１〜１０のいずれか記載の電源装置と、前記電源装置から直流電力が供給されその直流電力に伴い点灯する発光ダイオードとを備えることを特徴とする。
【００１９】
この構成では、電源装置が一対の入力端子部に対して複数対の出力端子部を備え、複数の発光ダイオードをそれぞれの出力端子部に接続して点灯させることができるので、低コストにすることができるとともに、設置スペースを小さくすることができる。
【発明の効果】
【００２０】
本発明によれば、低コストにすることができるとともに、設置スペースを小さくすることができる。
【発明を実施するための最良の形態】
【００２１】
（実施形態１）
先ず、実施形態１の基本的な構成について説明する。実施形態１の照明器具は、図１に示すように、２つのＬＥＤ１，１を、電源装置２に接続するものである。
【００２２】
各ＬＥＤ１は、導線１０，１０により、後述する一対の出力端子部４と接続し、その電源装置２から直流電力が供給され、その直流電力により点灯する。
【００２３】
電源装置２は、図２に示すように、一対の入力端子部３、二対の出力端子部４，４、電源回路部５を１つのハウジング６に収納して備え、交流電源（図示せず）から交流電力を入力し、ＬＥＤ１，１（図１参照）に直流電力を供給する。
【００２４】
一対の入力端子部３は、２つの入力端子部３０，３０から構成され、後述するカバー６１の開口６１０ａに、一端面３０ａ，３０ａが外側に露出するようにして備える。入力端子部３０，３０は、一端面３０ａ，３０ａにおいて、導線３１，３１（図１参照）を介して、交流電力を供給する交流電源（図示せず）と接続し、他端面３０ｂ，３０ｂにおいて、導線３２，３２を介して後述する電源回路５ａと接続する。これにより、交流電源からの交流電力を、一対の入力端子部３を介して電源回路５ａに伝達することができる。
【００２５】
一対の出力端子部４は、２つの出力端子部４０，４０から構成され、後述するカバー６１の開口６１０ｂに、一端面４０ａ，４０ａが外側に露出するようにして備える。出力端子部４０，４０は、一端面４０ａ，４０ａにおいて、導線１０，１０（図１参照）を介してＬＥＤ１（図１参照）と接続し、他端面４０ｂ，４０ｂにおいて、導線４１，４１を介して電源回路５ａ（５ｂ）と接続する。これにより、電源回路５ａ（５ｂ）からの直流電力を、一対の出力端子部４を介してＬＥＤ１に出力することができる。
【００２６】
電源回路部５は、２つの電源回路５ａ，５ｂを有し、一対の入力端子部３から入力される交流電力を直流電力に変換し、その直流電力を二対の出力端子部４，４を介してＬＥＤ１，１（図１参照）に出力する。電源回路５ａ（５ｂ）は、ユニット化され、２つの取付部５０，５０とねじ５００，５００を用いて後述するボディ６０の底面上に載置固定される。電源回路５ａは、導線３２，３２を介して入力端子部３０，３０と接続し、導線４１，４１を介して出力端子部４０，４０と接続する。電源回路５ｂは、導線３３，３３を介して電源回路５ａと接続し、導線４１，４１を介して出力端子部４０，４０と接続する。電源回路５ａ（５ｂ）は、一対の出力端子部４から予め決められた一定電流を出力させるように定電流制御を行いながら、交流電源（図示せず）からの交流電力を直流電力に変換し、その直流電力を出力する。
【００２７】
定電流制御は、ＬＥＤ１（図１参照）に流れる直流電流の電流値を一定に保つ制御であり、この定電流制御において、複数のＬＥＤを接続する場合は、図３に示すように、それぞれの出力端子部４に、ＬＥＤ１，１を直列に接続する。電源回路５ａ（５ｂ）（図２参照）が定電流制御を行うと、ＬＥＤ１の連結数やＶＦ等の特性のバラツキに関係なく、各ＬＥＤ１に一定の直流電流が流れるので、各ＬＥＤ１の明るさが安定する。
【００２８】
定電流制御を行う方法として、例えば、出力電圧Ｖｏｕｔを一定にして、図４に示すように、トランジスタ８０、抵抗８１及び可変電源８２を用いたり、図５に示すように、可変抵抗８３を用いたりすることで、ＬＥＤ１，１に流れる直流電流の電流値を一定にする方法がある。また、他の方法として、図６に示すような、電源回路の出力電圧Ｖｏｕｔを可変しＬＥＤ１への印加電圧を可変することで、ＬＥＤ１に流れる直流電流の電流値を一定にする方法がある。
【００２９】
電源回路５ａ（５ｂ）は、図９に示すように、絶縁型の電源回路であり、絶縁トランス５１を備え、その絶縁トランス５１の一次巻線側に一次側回路５２、二次巻線側に二次側回路５３を備える。そして、電源回路５ａは、一次側回路５２の入力側に共通回路５４を備える。共通回路５４は、電源回路５ｂの一次側回路５２にも接続している。このような構成により、入力端子部３０，３０と出力端子部４０，４０とは絶縁している構成、つまり、交流電源（図示せず）とＬＥＤ１とは絶縁している構成であり、絶縁が必要なＬＥＤ１の施工条件の場合に用いられる。
【００３０】
共通回路５４は、交流電源７の交流電力の入力側から、４つのダイオード５４０ａ〜５４０ｄからなるダイオードブリッジ５４０、コンデンサ５４１を備え、入力側で入力端子３０，３０と接続し、出力側で電源回路５ａ（５ｂ）の一次側回路５２と接続する。共通回路５４では、ダイオードブリッジ５４０により交流電源７の交流電力を全波整流し、その全波整流された電力をコンデンサ５４１により平滑化し、この平滑化された電力を一次側回路５２に出力する。
【００３１】
一次側回路５２は、絶縁トランス５１の一次巻線側にあり、トランジスタ５２０、ＰＷＭ５２１を備え、一次側回路５２では、ＰＷＭ５２１が、後述するコンパレータ５３０から信号を入力し、その信号の大きさに基づいてパルス幅が変化するパルス信号をトランジスタ５２０に出力する。このＰＷＭ５２１の出力信号により、トランジスタ５２０がオンになると、絶縁トランス５１の一次巻線に電力を供給し、トランジスタ５２０がオフになると、絶縁トランス５１の一次巻線に電力を供給することを停止する。
【００３２】
二次側回路５３は、絶縁トランス５１の二次巻線側にあり、抵抗５３２、コンデンサ５３３、ダイオード５３４を備えるとともに、コンパレータ５３０、直流電源５３１を備える。抵抗５３２は、出力端子部４０，４０を介してＬＥＤ１と直列接続している。定電流制御において、コンパレータ５３０は、ＬＥＤ１に流れる電流を抵抗５３２間の電圧として検出するとともに、直流電源５３１から予め決められた電圧を入力し、これら入力された信号を比較し、その結果に基づいた信号をＰＷＭ５２１に出力する。
【００３３】
電源回路５ａ（５ｂ）は、コンパレータ５３０により、抵抗５３２間の電圧を検出し、その電圧が一定になるように、つまり、ＬＥＤ１に流れる電流が一定になるように、コンパレータ５３０の信号をＰＷＭ５２１に出力して定電流制御を一次側回路５２で行う。
【００３４】
ハウジング６は、図２に示すように、ボディ６０、カバー６１から構成され、一対の入力端子部３、二対の出力端子部４，４、電源回路５ａ，５ｂを、導線３２，３２、導線３３，３３、導線４１，４１，４１，４１とともに内部に収納する。ボディ６０は、上面に開口を形成する箱状であり、底面に電源回路５ａ（５ｂ）を、２つずつの取付部５０，５０を用いて載置固定する。カバー６１は、下面に開口を形成する箱状であり、ボディ６０の上部を覆う。上面６１０には、３つの開口６１０ａ，６１０ｂ，６１０ｂを形成する。開口６１０ａでは、収納時に入力端子部３０，３０の一端面３０ａ，３０ａが外側に露出するようになっている。開口６１０ｂでは、収納時に出力端子部４０，４０の一端面４０ａ，４０ａが外側に露出するようになっている。
【００３５】
上記の構成では、図１に示すように、複数の電源装置２を用いることなく、１つの電源装置２で２つのＬＥＤ１，１に対応することができる。また、図３に示すように、高出力の電源回路５ａ，５ｂを搭載して、複数のＬＥＤ１，１を接続する場合でも、二対の出力端子部４，４に分割して直列接続すると、ＬＥＤ１，１の印加電圧は分割されるので、各電源回路５ａ，５ｂから出力する直流電力は高くならずに低電圧を維持することができる。
【００３６】
なお、例えば、赤（Ｒ）、緑（Ｇ）、青（Ｂ）のＬＥＤを使って色を変化させる手段として、３つの出力端子部の電源装置にそれぞれＲ、Ｇ、ＢのＬＥＤを接続して用いることもできる。
【００３７】
以上、実施形態１によれば、一対の入力端子部３に対して二対の出力端子部４，４を備えているので、２つのＬＥＤ１，１を接続する場合に、低コストにすることができるとともに、設置スペースを小さくすることができる。また、２つのＬＥＤ１，１をそれぞれの出力端子部４，４に分散し、低い電圧の状態で一定電流をそれぞれのＬＥＤ１，１に供給させることができるので、ＬＥＤ１，１を安定に点灯させることができる。
【００３８】
また、実施形態１では、図８に示すように収納される電源回路５ａ（５ｂ）は、図９に示すように、絶縁トランス５１を備える絶縁型の電源回路であり、絶縁トランス５１の一次巻線側に一次側回路５２、二次巻線側に二次側回路５３を備え、定電流制御を一次側回路５２で行っている。上記電源回路５ａ（５ｂ）より、入力端子部３０，３０と出力端子部４０，４０とは絶縁している構成、つまり、交流電源（図示せず）とＬＥＤ１とは絶縁している構成である。
【００３９】
これにより、電源回路５ａ（５ｂ）内で短絡等が発生した場合であっても、交流電源７からの大電流がＬＥＤ１に流れることを防止することができるので、より安全性の高い絶縁構成を実現することができる。
【００４０】
なお、実施形態１の変形例として、図１０に示すように、電源回路５ａ（５ｂ）は、二次側回路５３にトランジスタ５３５、ＰＷＭ５３６を備え、コンパレータ５３０の信号をＰＷＭ５３６に出力することにより、定電流制御を二次側回路５３で行ってもよい。
【００４１】
また、実施形態１の他の変形例として、図１１に示すように、電源回路５ａ（５ｂ）は、一次側回路５２にトランジスタ５２２を追加して備え、二次側回路５３に抵抗５３７、ダイオード５３８，５３９を追加して備え、フライバック回路としてもよい。このような構成では、ＬＥＤ１（図９参照）の負荷電流を抵抗５３２にて検出し、その負荷電流に基づいて変化するダイオード５３９の電流をトランジスタ５２２に入力することにより、チョッパ回路のＰＷＭ５２１にフィードバックして、ＬＥＤ１に印加する電圧を変動させることができるので、ＬＥＤ１の特性や連結数が違う場合であっても、ＬＥＤ１に一定の電流を流すことができる。
【００４２】
（実施形態２）
実施形態２は、ＬＥＤ１，１、電源装置２を含む照明器具であって、電源装置２が、一対の入力端子部３、二対の出力端子部４，４を１つのハウジング６に備える点で実施形態１と同様であるが、実施形態１にはない以下に記載の特徴部分がある。実施形態２では、図１２に示す電源回路５ａは、図１３に示すように、絶縁トランス５１を備え、その絶縁トランス５１の一次巻線側に１つの一次側回路５２、二次巻線側に２つの二次側回路５３，５３を備える絶縁型の電源回路である。これにより、電源回路５ａは、１つの一次側回路５２の動作により、２つの二次側回路５３，５３が動作し、それぞれの二次側回路５３と接続する出力端子部４０，４０に直流電力を供給する。なお、定電流制御を二次側回路５３で行っている。
【００４３】
以上、実施形態２によれば、一次側回路５２を共通にすることができるので、省スペース及び低コストで構成することができる。
【００４４】
なお、実施形態２の変形例として、定電流制御を一次側回路で行ってもよい。
【００４５】
（実施形態３）
実施形態３は、ＬＥＤ１，１、電源装置２を含む照明器具であって、電源装置２が、一対の入力端子部３、二対の出力端子部４，４、電源回路５ａ，５ｂを１つのハウジング６に備える点で実施形態１と同様であるが、実施形態１にはない以下に記載の特徴部分がある。実施形態３では、図１４に示すように、電源回路５ａ（５ｂ）は、入力端子部３０，３０（図９参照）と出力端子部４０，４０が非絶縁となっている電源回路である。
【００４６】
上記非絶縁型の電源回路について絶縁型の電源回路（図９参照）と異なる点を説明する。非絶縁型である電源回路５ａ（５ｂ）は、トランジスタ５３５、ＰＷＭ５３６、ダイオード５５１、コイル５５０を備える。この電源回路５ａ（５ｂ）は、ＬＥＤ１に流れる電流を抵抗５３２で検出してチョッパ回路のパルス幅を変化させ、ＬＥＤ１に印加する電圧値を調整するＰＷＭ制御の構成により、定電流制御を行う。具体的には、先ず、コンパレータ５３０から、絶縁型の電源回路の場合と同様の信号を、ＰＷＭ５３６に出力する。ＰＷＭ５３６は、上記信号の大きさに基づいてパルス幅が変化するパルス信号をトランジスタ５３５に出力する。このＰＷＭ５３６の出力信号により、トランジスタ５３５がオンになると、電力を供給し、トランジスタ５３５がオフになると、電力を供給することを停止する。
【００４７】
このような非絶縁型の電源回路は、絶縁トランスを介して電力をＬＥＤ１に供給するものではないので、絶縁型の電源回路と比較して、電源としての効率はよく、照明器具としての消費電力は小さい。また、電源回路自体も絶縁トランスを備えていないので、小型化することができるとともに、部材コストを安くすることができる。これにより、非絶縁でよいＬＥＤ１の施工条件の場合に用いられ、絶縁型の電源回路を備える電源装置の場合より、大容量のＬＥＤ１に対応することができたり、低消費電力にてＬＥＤ１に対応することができたりする。
【００４８】
但し、安全性、照明器具に電力を供給するための配電盤の電流容量、設置スペース等を考慮した上で、それぞれの施工条件に応じて電源回路を選択する必要がある。
【００４９】
以上、実施形態３によれば、効率を高めることができるので、定格出力を大きくしたり、消費電力を小さくしたりすることができる。
【００５０】
（実施形態４）
実施形態４は、ＬＥＤ１，１、電源装置２を含む照明器具であって、電源装置２が、一対の入力端子部３、二対の出力端子部４，４、電源回路５ａ，５ｂを１つのハウジング６に備える点で実施形態１と同様であるが、実施形態１にはない以下に記載の特徴部分がある。実施形態４では、図１５に示すように、電源回路５ａは絶縁型の電源回路であり、電源回路５ｂは非絶縁型の電源回路である。
【００５１】
電源回路５ａは、実施形態１の電源回路と同様の機能を有する絶縁型の電源回路であり、絶縁が必要なＬＥＤ１（図９参照）の施工条件の場合に用いられる。これに対して、電源回路５ｂは、実施形態３の電源回路と同様の機能を有する非絶縁型の電源回路であり、非絶縁でよいＬＥＤ１の施工条件の場合に用いられ、絶縁構成が必要とする場合より大容量、若しくは低消費電力にてＬＥＤ１に対応することができる。
【００５２】
以上、実施形態４によれば、絶縁型の電源回路と非絶縁型の電源回路との両方を備えているので、安全性、消費電力等の条件に応じて絶縁型の電源回路と非絶縁型の電源回路とを使い分けることができる。
【００５３】
（実施形態５）
実施形態５は、ＬＥＤ１，１、電源装置２を含む照明器具であって、電源装置２が、一対の入力端子部３、二対の出力端子部４，４、電源回路５ａ，５ｂを１つのハウジング６に備える点で実施形態４と同様であるが、実施形態４にはない以下に記載の特徴部分がある。実施形態５では、図１６に示すように、電源回路５ｂは、実施形態２の電源回路と同様の機能を有する絶縁型の電源回路であり、絶縁トランス５１の一次巻線側に１つの一次側回路５２、二次巻線側に２つの二次側回路５３，５３を備える電源回路である。これにより、電源回路５ｂは、絶縁トランス５１を１つ使用するだけで、１つの一次側回路５２の動作により、２つの二次側回路５３，５３が動作し、それぞれの二次側回路５３と接続する出力端子部４０，４０に直流電力を供給する。
【００５４】
以上、実施形態５によれば、絶縁型の電源回路である電源回路５ｂにおいて、一次側回路５２を共通にすることができるので、省スペース及び低コストで構成することができる。
【００５５】
（実施形態６）
実施形態６は、ＬＥＤ１，１、電源装置２を含む照明器具であって、電源装置２が、一対の入力端子部３、二対の出力端子部４，４、電源回路５ａ，５ｂを１つのハウジング６に備える点で実施形態１と同様であるが、実施形態１にはない以下に記載の特徴部分がある。実施形態６では、図１７に示すように、電源回路５ａ，５ｂ（図１８参照）は、絶縁型の電源回路であり、１つのＬＥＤ１に対し、二対の出力端子部４，４を介して並列接続し、それぞれの電源回路５ａ，５ｂは、予め決められた定格電流ｉ１を出力する。また、図１９に示すように、それぞれの電源回路５ａ，５ｂのグランドに内部ＧＮＤ結線部５６を接続し、電源回路５ａ，５ｂのグランドを共通にしている。このような構成により、例えば、ＬＥＤ１が、それぞれの電源回路５ａ，５ｂの定格電流ｉ１を足した電流（２×ｉ１）を必要とする場合であっても、そのＬＥＤ１を定電流制御しながら点灯させることができる。
【００５６】
以上、実施形態６によれば、電源回路５ａ，５ｂをＬＥＤ１に対して並列接続することにより、ＬＥＤ１が、電源回路５ａ，５ｂのそれぞれの定格電流ｉ１を超える電流を必要とする場合であっても、定電流制御を行いながらＬＥＤ１を点灯させることができる。
【００５７】
なお、実施形態６の変形例として、３つの電源回路を１つのＬＥＤ１に対して並列接続してもよい。このような構成にしても、各電源回路のそれぞれの定格電流を足した電流を必要とするＬＥＤに対して定電流制御を行うことができる。
【００５８】
（実施形態７）
実施形態７は、ＬＥＤ１，１、電源装置２を含む照明器具であって、電源装置２が、一対の入力端子部３、二対の出力端子部４，４、電源回路５ａ，５ｂを１つのハウジング６に備える点で実施形態１と同様であるが、実施形態１にはない以下に記載の特徴部分がある。実施形態７では、それぞれ異なる定格電流を出力する電源回路５ａ，５ｂ（図２参照）を備え、図２０に示すように、出力端子部４，４を介して、定格電流の異なるＬＥＤ１ａ，１ｂに供給する。例えば、電源回路５ａは、予め決められた大きさの定格電流ｉ１を、出力端子部４を介してＬＥＤ１ａに供給し、ＬＥＤ１ａを点灯させる。電源回路５ｂは、予め決められた定格電流ｉ２を、出力端子部４を介してＬＥＤ１ｂに供給し、ＬＥＤ１ｂを点灯させる。また、施工時に急遽、定格電流の異なるＬＥＤを使う場合に、別の出力端子部を使用することができる。
【００５９】
以上、実施形態７によれば、異なる定格電流を出力する電源回路５ａ，５ｂを備えるので、一つの電源装置で異なる定格電流のＬＥＤ１ａ，１ｂに対応することができる。
【００６０】
（実施形態８）
実施形態８は、ＬＥＤ１，１、電源装置２を含む照明器具であって、電源装置２が、一対の入力端子部３、二対の出力端子部４，４、電源回路５ａ，５ｂを１つのハウジング６に備える点で実施形態１と同様であるが、実施形態１にはない以下に記載の特徴部分がある。実施形態８では、図２１に示すように、電源回路５ａ，５ｂ（図２参照）は、二対の出力端子部４，４から予め決められた一定電圧を出力させる定電圧制御型電源回路である。
【００６１】
定電圧制御は、図２２に示すように、ＬＥＤ１，１に印加する直流電圧の電圧値を一定に保つ制御であり、複数のＬＥＤ１を接続する場合は、並列接続となる。上記定電圧制御では、出力をＬＥＤ１の定格電圧に保っていれば、複雑な制御手段を必要とせず、一般の照明器具と同様に並列配線であり、ＬＥＤ１を追加する場合も既に接続されているＬＥＤ１と電源装置の結線を外さずにＬＥＤ１に並列接続するだけで結線することができる。但し、ＬＥＤにおいて、ＶＦ等の特性にバラツキが生じた場合は、電流が一定とならないため、明るさにバラツキが生じる原因となるので、注意する必要がある。
【００６２】
定電圧制御型電源回路について実施形態１の定電流制御型電源回路と異なる点を説明する。図２３に示すように、電源回路５ａ（５ｂ）では、コンパレータ５３０は、出力端子部４０，４０間の電圧、すなわちＬＥＤ１（図９参照）間の電圧を検出し、その電圧と直流電源５３１の予め決められた電圧とを比較し、その結果に基づいた信号をＰＷＭ５２１に出力して、定電圧制御を一次側回路５２で行う。
【００６３】
上記の構成では、図２１に示すように、高出力の電源回路５ａ，５ｂを搭載し、複数のＬＥＤ１，１を１端子で接続する場合でも、ハウジング６内に内蔵される電源回路５ａ，５ｂの数だけ出力端子部４，４から出力される電流は分割され、小さい電流を維持することができる。
【００６４】
以上、実施形態８によれば、複数のＬＥＤ１，１をそれぞれの一対の出力端子部４，４に分散し、各出力端子部４，４に並列接続するＬＥＤ１，１の数によらず、小さい電流の状態で一定電圧をＬＥＤ１，１に供給させることができるので、ＬＥＤ１，１を安定に点灯させることができる。
【００６５】
（実施形態９）
実施形態９は、ＬＥＤ１，１、電源装置２を含む照明器具であって、電源装置２が、一対の入力端子部３、二対の出力端子部４，４、電源回路５ａ，５ｂを１つのハウジング６に備える点で実施形態８と同様であるが、実施形態８にはない以下に記載の特徴部分がある。実施形態９では、図２３に示すように、電源回路５ａ（５ｂ）は、絶縁トランス５１を備える絶縁型の電源回路であり、絶縁トランス５１の一次巻線側に一次側回路５２、二次巻線側に二次側回路５３を備える。上記電源回路５ａ（５ｂ）より、入力端子部３０，３０と出力端子部４０，４０とは絶縁している構成、つまり、交流電源（図示せず）とＬＥＤ１とは絶縁している構成である。なお、定電圧制御を一次側回路５２で行っている。
【００６６】
以上、実施形態９によれば、電源回路５ａ（５ｂ）内で短絡等が発生した場合であっても、交流電源からの大電流がＬＥＤ１に流れることを防止することができるので、より安全性の高い絶縁構成を実現することができる。
【００６７】
なお、実施形態９の変形例として、定電圧制御を二次側回路で行ってもよい。
【００６８】
（実施形態１０）
実施形態１０は、ＬＥＤ１，１、電源装置２を含む照明器具であって、電源装置２が、一対の入力端子部３、二対の出力端子部４，４を１つのハウジング６に備える点で実施形態８と同様であるが、実施形態８にはない以下に記載の特徴部分がある。実施形態１０では、図２４に示すように、電源回路５ａは、絶縁トランス５１を備え、その絶縁トランス５１の一次巻線側に１つの一次側回路５２、二次巻線側に２つの二次側回路５３，５３を備える絶縁型の電源回路である。これにより、電源回路５ａは、１つの一次側回路５２の動作により、２つの二次側回路５３，５３が動作し、それぞれの二次側回路５３と接続する出力端子部４０，４０に直流電力を供給する。なお、定電圧制御を二次側回路５３で行っている。
【００６９】
以上、実施形態１０によれば、一次側回路５２を共通にすることができるので、省スペース及び低コストで構成することができる。
【００７０】
なお、実施形態１０の変形例として、定電圧制御を一次側回路で行ってもよい。
【００７１】
（実施形態１１）
実施形態１１は、ＬＥＤ１，１、電源装置２を含む照明器具であって、電源装置２が、一対の入力端子部３、二対の出力端子部４，４、電源回路５ａ，５ｂを１つのハウジング６に備える点で実施形態８と同様であるが、実施形態８にはない以下に記載の特徴部分がある。実施形態１１では、図２５に示すように、電源回路５ａ（５ｂ）は、入力端子部３０，３０（図９参照）と出力端子部４０，４０が非絶縁となっている電源回路である。
【００７２】
以上、実施形態１１によれば、効率を高めることができるので、定格出力を大きくしたり、消費電力を小さくしたりすることができる。
【００７３】
（実施形態１２）
実施形態１２は、ＬＥＤ１，１、電源装置２を含む照明器具であって、電源装置２が、一対の入力端子部３、二対の出力端子部４，４、電源回路５ａ，５ｂを１つのハウジング６に備える点で実施形態８と同様であるが、実施形態８にはない以下に記載の特徴部分がある。実施形態１２では、図２６に示すように、電源回路５ａは非絶縁型の電源回路であり、電源回路５ｂは絶縁型の電源回路である。
【００７４】
電源回路５ｂは、実施形態９の電源回路と同様の機能を有する絶縁型の電源回路であり、絶縁が必要なＬＥＤ１（図９参照）の施工条件の場合に用いられる。これに対して、電源回路５ａは、実施形態１１の電源回路と同様の機能を有する非絶縁型の電源回路であり、非絶縁でよいＬＥＤ１の施工条件の場合に用いられ、絶縁構成が必要とされる端子より大容量、若しくは低消費電力にてＬＥＤ１に対応することができる。
【００７５】
以上、実施形態１２によれば、絶縁型の電源回路と非絶縁型の電源回路との両方を備えているので、安全性、消費電力等の条件に応じて絶縁型の電源回路と非絶縁型の電源回路とを使い分けることができる。
【００７６】
（実施形態１３）
実施形態１３は、ＬＥＤ１，１、電源装置２を含む照明器具であって、電源装置２が、一対の入力端子部３、二対の出力端子部４，４、電源回路５ａ，５ｂを１つのハウジング６に備える点で実施形態１２と同様であるが、実施形態１２にはない以下に記載の特徴部分がある。実施形態１３では、図２７に示すように、電源回路５ｂは、実施形態１０の電源回路と同様の機能を有する絶縁型の電源回路であり、絶縁トランス５１の一次巻線側に１つの一次側回路５２、二次巻線側に２つの二次側回路５３，５３を備える電源回路である。これにより、電源回路５ｂは、絶縁トランス５１を１つ使用するだけで、１つの一次側回路５２の動作により、２つの二次側回路５３，５３が動作し、それぞれの二次側回路５３，５３と接続する出力端子部４０，４０に直流電力を供給する。
【００７７】
以上、実施形態１３によれば、絶縁型の電源回路である電源回路５ｂにおいて、一次側回路５２を共通にすることができるので、省スペース及び低コストで構成することができる。
【００７８】
（実施形態１４）
実施形態１４は、ＬＥＤ１，１、電源装置２を含む照明器具であって、電源装置２が、一対の入力端子部３、二対の出力端子部４，４、電源回路５ａ，５ｂを１つのハウジング６に備える点で実施形態８と同様であるが、実施形態８にはない以下に記載の特徴部分がある。実施形態１４では、図２８に示すように、電源回路５ａ，５ｂ（図２参照）は、絶縁型の電源回路であり、１つのＬＥＤ１に対し、一対の出力端子部４，４を介して直列接続し、それぞれの電源回路５ａ，５ｂは、予め決められた定格電圧ｖ１を出力する。このような構成により、例えば、ＬＥＤ１が、それぞれの電源回路５ａ，５ｂの定格電圧ｖ１を足した電圧（２×ｖ１）を必要とする場合であっても、そのＬＥＤ１を定電圧制御しながら点灯させることができる。但し、定電圧制御を行う場合に、電源回路５ａ，５ｂを直列に接続するため、電圧検出回路のＧＮＤを共通にすることはできない。よって、出力電圧検出用のコンパレータ５３０（図２３参照）の電源や直流電源５３１（図２３参照）による基準電圧は、ＧＮＤが異なるので、それぞれ備える必要がある。
【００７９】
以上、実施形態１４によれば、電源回路５ａ，５ｂをＬＥＤ１に対して直列接続することにより、ＬＥＤ１が、電源回路５ａ，５ｂのそれぞれの定格電圧ｖ１を超える電圧を必要とする場合であっても、定電圧制御を行いながらＬＥＤ１を点灯させることができる。
【００８０】
なお、実施形態１４の変形例として、３つの電源回路を１つのＬＥＤに対して直列接続してもよい。このような構成にしても、各電源回路のそれぞれの定格電圧を足した電圧を必要とするＬＥＤに対して定電圧制御を行うことができる。
【００８１】
また、実施形態６又は１４の変形例として、ＬＥＤに対して絶縁構成を必要としない場合は、複数の非絶縁型の電源回路、又は、絶縁型の電源回路と非絶縁型の電源回路の組み合わせで構成してもよい。
【００８２】
（実施形態１５）
実施形態１５は、ＬＥＤ１，１、電源装置２を含む照明器具であって、電源装置２が、一対の入力端子部３、二対の出力端子部４，４、電源回路５ａ，５ｂを１つのハウジング６に備える点で実施形態８と同様であるが、実施形態８にはない以下に記載の特徴部分がある。実施形態１５では、それぞれ異なる定格電圧を有する電源回路５ａ，５ｂ（図２参照）を備え、図２９に示すように、出力端子部４，４を介して、定格電圧の異なるＬＥＤ１ａ，１ｂに供給する。例えば、電源回路５ａは、予め決められた大きさの定格電圧ｖ１を、出力端子部４を介してＬＥＤ１ａに供給し、ＬＥＤ１ａを点灯させる。電源回路５ｂは、予め決められた定格電圧ｖ２を、出力端子部４を介してＬＥＤ１ｂに供給し、ＬＥＤ１ｂを点灯させる。
【００８３】
以上、実施形態１５によれば、異なる定格電流を有する電源回路５ａ，５ｂを備えるので、異なる定格電圧のＬＥＤ１ａ，１ｂに対応することができる。
（実施形態１６）
実施形態１６は、ＬＥＤ１，１、電源装置２を含む照明器具であって、電源装置２が、一対の入力端子部３、二対の出力端子部４，４、電源回路５ａ，５ｂを１つのハウジング６に備える点で実施形態１と同様であるが、実施形態１にはない以下に記載の特徴部分がある。実施形態１６では、電源回路５ａ（図２参照）は、実施形態１の電源回路と同様の機能を有する定電流制御型電源回路であり、電源回路５ｂ（図２参照）は、実施形態８の電源回路と同様の機能を有する定電圧制御型電源回路である。これにより、対応する制御方式が違うＬＥＤ１，１（図１参照）を使う場合に対応することができ、また、配線を並列から直列、又は直列から並列に急遽、変更しなければならない場合であっても、他方の出力端子部を使用することによって対応することができる。
【００８４】
以上、実施形態１６によれば、定電流制御型電源回路と定電圧制御型電源回路との両方を有しているので、定電流制御を必要とするＬＥＤ１、及び定電圧制御を必要とするＬＥＤ１のいずれにも対応することができる。
【００８５】
（実施形態１７）
実施形態１７は、ＬＥＤ１，１、電源装置２を含む照明器具であって、電源装置２が、一対の入力端子部３、二対の出力端子部４，４、電源回路５ａ，５ｂを１つのハウジング６に備える点で実施形態１６と同様であるが、実施形態１６にはない以下に記載の特徴部分がある。実施形態１７では、図３０に示すように、電源回路５ａは、実施形態３の電源回路と同様の機能を有する絶縁トランス５１を備える絶縁型の電源回路であり、電源回路５ｂは、実施形態１１の電源回路と同様の機能を有する非絶縁型の電源回路である。
【００８６】
以上、実施形態１７によれば、定電流制御が必要なＬＥＤ１には絶縁、非絶縁を問わずに対応するができるとともに、非絶縁でよい定電圧制御のＬＥＤ１にも対応することができる。
【００８７】
なお、実施形態１７の変形例として、定電流制御型電源回路及び定電圧制御型電源回路の少なくともいずれか一方の電源回路が絶縁型の電源回路であってもよい。
【００８８】
また、実施形態１７の他の変形例として、定電圧制御を二次側回路で行ってもよい。
【００８９】
（実施形態１８）
実施形態１８は、ＬＥＤ１，１、電源装置２を含む照明器具であって、電源装置２が、一対の入力端子部３、二対の出力端子部４，４、電源回路５ａ，５ｂを１つのハウジング６に備える点で実施形態１７と同様であるが、実施形態１７にはない以下に記載の特徴部分がある。実施形態１８では、電源回路５ａは、図３１に示すように、絶縁トランス５１を備える絶縁型の電源回路であるとともに、絶縁トランス５１の一次巻線側に１つの一次側回路５２、二次巻線側に２つの二次側回路５３，５３を備える電源回路である。これにより、電源回路５ａは、１つの一次側回路５２の動作により、２つの二次側回路５３，５３が動作し、それぞれの二次側回路５３，５３と接続する出力端子部４，４に直流電力を供給する。なお、定電圧制御を二次側回路５３で行っている。
【００９０】
以上、実施形態１８によれば、絶縁型の電源回路である電源回路５ａにおいて、一次側回路５２を共通にすることができるので、省スペース及び低コストで構成することができる。
【００９１】
なお、実施形態１８の変形例として、定電圧制御を一次側回路で行ってもよい。
【００９２】
また、実施形態２，１０又は１８の変形例として、絶縁トランスを備えた電源回路を複数備え、それらの電源回路の一部若しくは全てが、絶縁トランスの二次巻線側に複数の二次側回路を備えてもよい。
【００９３】
（実施形態１９）
実施形態１９は、ＬＥＤ１，１、電源装置２を含む照明器具であって、電源装置２が、一対の入力端子部３、二対の出力端子部４，４、電源回路５ａ，５ｂを１つのハウジング６に備える点で実施形態１７と同様であるが、実施形態１７にはない以下に記載の特徴部分がある。実施形態１９では、電源回路５ａ（５ｂ）は、図３２に示すように、入力端子部３０，３０（図９参照）と出力端子部４０，４０が非絶縁となっている電源回路である。
【００９４】
電源回路５ａは、実施形態３の電源回路と同様の機能を有する定電流制御型電源回路であり、電源回路５ｂは、実施形態１１の電源回路と同様の機能を有する定電圧制御型電源回路であり、電源回路５ａ，５ｂが１つのハウジング６に収納されている。
【００９５】
以上、実施形態１９によれば、非絶縁でよいＬＥＤ１，１に対して、定電流制御、定電圧制御のどちらにも同時に対応することができる。
【００９６】
なお、実施形態１〜１９のいずれかの変形例として、一対の出力端子部を３つ以上設けてもよい。このような構成では、さらに低コストにすることができるとともに、設置スペースをさらに小さくすることができる。
【００９７】
（実施形態２０）
実施形態２０は、ＬＥＤ１，１、電源装置２を含む照明器具であって、電源装置２が、一対の入力端子部３を１つのハウジング６に備える点で実施形態１７と同様であるが、実施形態１７にはない以下に記載の特徴部分がある。実施形態２０では、図３３に示すように、４つの電源回路５ａ，５ａ，５ｂ，５ｂを備え、そのうち、２つの電源回路５ａ，５ａを、図３４に示すように、１つのＬＥＤ１に対し、一対の出力端子部４，４を介して並列接続するとともに、２つの電源回路５ｂ，５ｂを、１つのＬＥＤ１に対し、一対の出力端子部４，４を介して直列接続する。
【００９８】
電源回路５ａ，５ａは、実施形態６の電源回路と同様の機能を有し、定格電流ｉ１の定電流制御型電源回路である。なお、電源回路５ａ，５ａは、絶縁型若しくは非絶縁型のどちらでもよい。上記電源回路５ａ，５ａを、ＬＥＤ１に対し、一対の出力端子部４，４を介して並列接続することによって、例えば、ＬＥＤ１が、それぞれの電源回路５ａ，５ｂの定格電流ｉ１を足した電流（２×ｉ１）を必要とする場合であっても、そのＬＥＤ１を定電流制御しながら点灯させることができる。
【００９９】
電源回路５ｂ，５ｂは、実施形態１４の電源回路と同様の機能を有し、定格電圧ｖ１の絶縁型の定電圧制御型電源回路である。上記電源回路５ａ，５ｂを、ＬＥＤ１に対し、一対の出力端子部４，４を介して直列接続することによって、例えば、ＬＥＤ１が、それぞれの電源回路５ａ，５ｂの定格電圧ｖ１を足した電圧（２×ｖ１）を必要とする場合であっても、そのＬＥＤ１を定電圧制御しながら点灯させることができる。
【０１００】
以上、実施形態２０によれば、電源回路５ａ，５ａをＬＥＤ１に対して並列接続することにより、ＬＥＤ１が、電源回路５ａ，５ａのそれぞれの定格電流ｉ１を超える電流を必要とする場合であっても、定電流制御を行いながらＬＥＤ１ａを点灯させることができる。また、電源回路５ｂ，５ｂをＬＥＤ１に対して直列接続することにより、ＬＥＤ１が、電源回路５ｂ，５ｂのそれぞれの定格電圧ｖ１を超える電圧を必要とする場合であっても、定電圧制御を行いながらＬＥＤ１ｂを点灯させることができる。
【０１０１】
なお、実施形態１〜２０のいずれかの変形例として、複数の電源回路が、共通回路を備え、導線により一対の入力端子部と接続してもよい。
【０１０２】
また、実施形態１〜２０のいずれかの他の変形例として、共通回路を電源回路とは別に電源回路部に備えてもよい。
【０１０３】
さらに、実施形態１〜２０のいずれかの他の変形例として、電源回路部は、パネル状の取付部に、１つ若しくは複数の電源回路を設けた構成にしてもよい。図７は、実施形態１の変形例を示している図である。このような構成にすると、部品点数を少なくすることができるとともに、電源回路部をボディの底面上に、容易に載置固定することができる。
【図面の簡単な説明】
【０１０４】
【図１】本発明による実施形態１の電源装置の外観図である。
【図２】同上の構成図である。
【図３】同上を用いた照明器具の配線図である。
【図４】同上の定電流制御回路図である。
【図５】同上の他の定電流制御回路図である。
【図６】同上の他の定電流制御回路図である。
【図７】同上の他の構成図である。
【図８】同上の他の構成図である。
【図９】同上の内部回路構成図である。
【図１０】同上の他の内部回路構成図である。
【図１１】同上の他の内部回路構成図である。
【図１２】本発明による実施形態２の電源装置の構成図である。
【図１３】同上の内部回路構成図である。
【図１４】本発明による実施形態３の電源装置の内部回路構成図である。
【図１５】本発明による実施形態４の電源装置の内部回路構成図である。
【図１６】本発明による実施形態５の電源装置の内部回路構成図である。
【図１７】本発明による実施形態６の電源装置を用いた照明器具の配線図である。
【図１８】同上の電源装置の構成図である。
【図１９】同上の電源装置の内部回路構成図である。
【図２０】本発明による実施形態７の電源装置を用いた照明器具の配線図である。
【図２１】本発明による実施形態８の電源装置を用いた照明器具の配線図である。
【図２２】同上の定電圧制御回路図である。
【図２３】本発明による実施形態９の電源装置の内部回路構成図である。
【図２４】本発明による実施形態１０の電源装置の内部回路構成図である。
【図２５】本発明による実施形態１１の電源装置の内部回路構成図である。
【図２６】本発明による実施形態１２の電源装置の内部回路構成図である。
【図２７】本発明による実施形態１３の電源装置の内部回路構成図である。
【図２８】本発明による実施形態１４の電源装置を用いた照明器具の配線図である。
【図２９】本発明による実施形態１５の電源装置を用いた照明器具の配線図である。
【図３０】本発明による実施形態１７の電源装置の内部回路構成図である。
【図３１】本発明による実施形態１８の電源装置の内部回路構成図である。
【図３２】本発明による実施形態１９の電源装置の内部回路構成図である。
【図３３】本発明による実施形態２０の電源装置の構成図である。
【図３４】同上を用いた照明器具の配線図である。
【図３５】従来の電源装置の外観図である。
【図３６】同上の構成図である。
【図３７】同上を用いた照明器具の配線図である。
【図３８】同上を用いた他の照明器具の配線図である。
【図３９】同上を用いた他の照明器具の配線図である。
【符号の説明】
【０１０５】
１，１ａ，１ｂ  ＬＥＤ
２  電源装置
３  一対の入力端子部
４  一対の出力端子部
５  電源回路部
５ａ，５ｂ  電源回路
６  ハウジング
【図１】
2005285369.tif 000003
【図２】
2005285369.tif 000004
【図３】
2005285369.tif 000005
【図４】
2005285369.tif 000006
【図５】
2005285369.tif 000007
【図６】
2005285369.tif 000008
【図７】
2005285369.tif 000009
【図８】
2005285369.tif 000010
【図９】
2005285369.tif 000011
【図１０】
2005285369.tif 000012
【図１１】
2005285369.tif 000013
【図１２】
2005285369.tif 000014
【図１３】
2005285369.tif 000015
【図１４】
2005285369.tif 000016
【図１５】
2005285369.tif 000017
【図１６】
2005285369.tif 000018
【図１７】
2005285369.tif 000019
【図１８】
2005285369.tif 000020
【図１９】
2005285369.tif 000021
【図２０】
2005285369.tif 000022
【図２１】
2005285369.tif 000023
【図２２】
2005285369.tif 000024
【図２３】
2005285369.tif 000025
【図２４】
2005285369.tif 000026
【図２５】
2005285369.tif 000027
【図２６】
2005285369.tif 000028
【図２７】
2005285369.tif 000029
【図２８】
2005285369.tif 000030
【図２９】
2005285369.tif 000031
【図３０】
2005285369.tif 000032
【図３１】
2005285369.tif 000033
【図３２】
2005285369.tif 000034
【図３３】
2005285369.tif 000035
【図３４】
2005285369.tif 000036
【図３５】
2005285369.tif 000037
【図３６】
2005285369.tif 000038
【図３７】
2005285369.tif 000039
【図３８】
2005285369.tif 000040
【図３９】
2005285369.tif 000041